(57)【特許請求の範囲】
【請求項１】
Ｎ−ｎ−ブチルチオリン酸トリアミドと、Ｎ−シクロヘキシルチオリン酸トリアミド、Ｎ−ペンチルチオリン酸トリアミド、Ｎ−イソブチルチオリン酸トリアミド又はＮ−プロピルチオリン酸トリアミドとを含有し、Ｎ−ｎ−ブチルチオリン酸トリアミドの含量が、製剤中に含まれている全ての（チオ）リン酸トリアミドの全質量を基準として４０〜９５質量％である、尿素含有肥料の施肥の際に使用するための製剤。
【請求項２】
塩化チオホスホリルを少なくとも２つの異なる第一級アミン及び／又は第二級アミンの混合物と及び引き続きアンモニアと反応させることを特徴とする、請求項１記載の製剤の製造方法。
【請求項３】
尿素含有肥料の施肥の際の、請求項１記載の製剤の使用。
【請求項４】
請求項１記載の製剤を含むことを特徴とする、尿素含有肥料。
【請求項５】
（チオ）リン酸トリアミドの全含量が、含まれている尿素を基準として、０．００１〜０．５質量％である、請求項４記載の尿素含有肥料。
【請求項６】
農業又は園芸における、請求項４記載の尿素含有肥料の使用。
【発明の詳細な説明】
【技術分野】
【０００１】
本発明は、少なくとも２つの異なる（チオ）リン酸トリアミドを含有し、改善されたウレアーゼ阻害作用を有する製剤、並びにこれらの製剤を含む尿素含有肥料に関する。さらに、本発明は、これらの製剤の製造方法、尿素含有肥料の施肥の際のこれらの製剤の使用並びに農業又は園芸におけるこれらの製剤を含む尿素含有肥料の使用に関する。
【０００２】
世界的に、施肥に使用される窒素の大部分が、尿素もしくは尿素含有肥料の形で使用され、さらにその量は増えている。しかしながら、尿素自体は、吸収されないか又は殆ど吸収されない窒素形態である、それというのも、尿素は土壌中に遍在している酵素ウレアーゼによって相対的に迅速にアンモニア及び二酸化炭素に加水分解されるからである(Mobley, H.L.T., Island, M.D., Hausinger, R.P. (1995) Molecular biology of microbial ureases, Microbiol. Rev. 59, 452-480)。その際に、状況によっては気体アンモニアは大気中へ放出され、これはついで土壌中で植物のためにもはや利用可能でなく、それによって施肥の有効性は低下される。
【０００３】
尿素含有肥料の使用の際に、尿素含有肥料を、尿素の酵素的開裂を低下させることができるか又は阻害することができる物質と共に適用することによって、窒素利用を改善できることは知られている(Kiss, S., Simihaian, M. (2002) Improving Efficiency of Urea Fertilizers by Inhibition of Soil Urease Activity, ISBN 1-4020-0493-1, Kluwer Academic Publishers, Dordrecht, The Netherlands)。最も効く公知のウレアーゼ阻害剤には、Ｎ−アルキルチオリン酸トリアミド及びＮ−アルキルリン酸トリアミドが属し、これらは例えば欧州特許(EP)第0 119 487号明細書に記載されている。これらのウレアーゼ阻害剤の大規模な使用は、それらの相対的に高い製造コストによってもしくは必要とされる施用量が高すぎたことによって、これまで妨げられていた。
【０００４】
本発明の課題は、尿素又は尿素含有肥料の施肥の際にウレアーゼ阻害剤を使用する際の窒素利用を改善することにあった。さらなる課題は、ウレアーゼ阻害剤の必要とされる施用量を低下させることにあった。
【０００５】
意外なことに、少なくとも２つの異なる（チオ）リン酸トリアミドを含有する製剤の使用の際に、尿素又は尿素含有肥料の適用後の気体アンモニア損失が、同じ量の個々の（チオ）リン酸トリアミドの適用の場合よりも、より著しく縮小されることができることが目下見出された。前記課題はそれに応じて、少なくとも２つの異なる（チオ）リン酸トリアミドを含有し、改善されたウレアーゼ阻害作用を有する製剤によって解決される。
【０００６】
それゆえ、本発明の対象は、一般式（Ｉ）
Ｒ1Ｒ2Ｎ−Ｐ（Ｘ）（ＮＨ2）2  （Ｉ）
［式中、
Ｘは、酸素又は硫黄を表し、
Ｒ1は、Ｃ1〜Ｃ10−アルキル基、Ｃ3〜Ｃ10−シクロアルキル基、Ｃ6〜Ｃ10−アリール基又はジアルキルアミノカルボニル基を表し、かつ
Ｒ2は、水素を表すか、又は
Ｒ1及びＲ2は、これらが結合している窒素原子と一緒になって５又は６員の飽和又は不飽和のヘテロ環式基を形成し、前記ヘテロ環式基は窒素、酸素及び硫黄からなる群から選択される場合によりさらに１又は２個の別のヘテロ原子を有していてよい］で示される構造を有し、基Ｒ1又はＲ2の１つが少なくとも相違する、少なくとも２つの異なる（チオ）リン酸トリアミドを含有する製剤である。
【０００７】
アルキル基の例は、メチル、エチル、プロピル、イソプロピル、ブチル、イソブチル、ｓ−ブチル、ｔ−ブチル、ペンチル、イソペンチル、ネオペンチル、ｔ−ペンチル、ヘキシル、２−メチルペンチル、ヘプチル、オクチル、２−エチルヘキシル、イソオクチル、ノニル、イソノニル、デシル及びイソデシルである。シクロアルキル基は、例えば、シクロプロピル、シクロブチル、シクロペンチル、シクロヘキシル及びシクロオクチルであり、アリール基は、例えば、フェニル又はナフチルである。ヘテロ環式基Ｒ1Ｒ2Ｎ−の例は、ピペラジニル基、モルホリニル基、ピロリル基、ピラゾリル基、トリアゾリル基、オキサゾリル基、チアゾリル基又はイミダゾリル基である。
【０００８】
そのような化合物は、例えば欧州特許(EP)第0 119 487号明細書、国際公開(WO)第00/58317号及び欧州特許(EP)第1 183 220号明細書から、ウレアーゼ阻害剤として知られている。
【０００９】
Ｎ−アルキルチオリン酸トリアミド（ここでＸ＝Ｓ及びＲ2＝Ｈ）及びＮ−アルキルリン酸トリアミド（ここでＸ＝Ｏ及びＲ2＝Ｈ）が特に好ましい。
【００１０】
そのようなウレアーゼ阻害剤の製造は、例えば、知られた方法に従って、塩化チオホスホリル、第一級アミン又は第二級アミン及びアンモニアから行われることができ、これらは例えば米国特許(US)第5,770,771号明細書に記載されている。この場合に、第一工程において塩化チオホスホリルを、第一級アミン又は第二級アミン１当量と塩基の存在で反応させ、生成物を引き続き過剰量のアンモニアと、反応させて最終生成物に変換する。
【００１１】
本発明による製剤は、基Ｒ1又はＲ2の少なくとも１つが相違していなければならない一般式（Ｉ）の少なくとも２つの異なる誘導体を含有する。例えば、本発明による製剤は、作用物質であるＮ−ｎ−ブチルチオリン酸トリアミド（ＮＢＴＰＴ）及びＮ−ｎ−プロピルチオリン酸トリアミド（ＮＰＴＰＴ）を含有する。各々の個々の作用物質は、その際に、全作用物質量を基準として、少なくとも０．０１質量％及び多くとも９９．９９質量％で、前記製剤中に含まれている。好ましくは、個々の作用物質は２０〜４０質量％もしくは６０〜８０質量％の量で含まれている。
【００１２】
Ｎ−ｎ−ブチルチオリン酸トリアミド（ＮＢＴＰＴ）を作用物質の１つとして含有する製剤が好ましい。別の作用物質の少なくとも１つは、好ましくは、Ｎ−シクロヘキシルリン酸トリアミド、Ｎ−ペンチルリン酸トリアミド、Ｎ−イソブチルリン酸トリアミド及びＮ−プロピルリン酸トリアミド及びＮ−シクロヘキシルチオリン酸トリアミド、Ｎ−ペンチルチオリン酸トリアミド、Ｎ−イソブチルチオリン酸トリアミド及びＮ−プロピルチオリン酸トリアミドからなる群から選択される誘導体である。全作用物質量をその都度基準として、４０〜９５質量％、極めて特に好ましくは６０〜８０質量％の量でＮＢＴＰＴを含有する製剤が特に好ましい。
【００１３】
チオリン酸トリアミドは周知のように、相応するリン酸トリアミドに相対的に容易に加水分解される。水分は通例、完全に排除されることができないので、チオリン酸トリアミド及び相応するリン酸トリアミドは、しばしば相互の混合物で存在する。"（チオ）リン酸トリアミド"という概念は、故に本明細書において、純粋なチオリン酸トリアミドもしくはリン酸トリアミドだけでなく、それらの混合物も意味する。
【００１４】
本発明による製剤は、純粋な作用物質混合物からなっていてよく、又は液体又は固体の配合物の形で存在していてもよい。液体配合物は、作用物質混合物に加えてさらに溶剤、例えば水、アルコール、グリコール又はアミン並びにそれらの混合物を約１〜約８０質量％の量で含有していてよい。（チオ）リン酸トリアミドの適した液体配合物の例は、国際公開(WO)第97/22568号に見出され、これに関連して全面的に取り入れられる。固体配合物は、作用物質混合物に加えて、さらに添加剤、例えば充填剤、結合剤又は造粒助剤、例えば石灰、セッコウ、二酸化ケイ素又はカオリナイトを、約１〜約９５質量％の量で含有していてよい。本発明による製剤は、作用物質混合物に加えて、溶剤又は溶剤混合物及び添加剤も同時に含んでいてよく、並びに懸濁液として存在していてよい。
【００１５】
少なくとも２つの異なる（チオ）リン酸トリアミドを含有する本発明による製剤の製造は、例えば、２つ又はそれ以上の別個に合成された個々の作用物質を混合することによって、行われることができる。他の可能性は、前記の合成の第一工程において少なくとも２つの第一級アミン及び／又は第二級アミンの混合物を使用して、アンモニアとの反応後に、第二工程において生成物として少なくとも２つの（チオ）リン酸トリアミドの混合物を直接得ることにある。それゆえ、本発明のさらなる対象は、少なくとも２つの別個に合成された（チオ）リン酸トリアミドの混合によるか又は塩化チオホスホリルと少なくとも２つの異なる第一級アミン及び／又は第二級アミンの混合物と及び引き続きアンモニアとの反応による、改善されたウレアーゼ阻害作用を有する製剤の製造方法であり、それによって本発明による組成を有する生成物が直接得られる。こうして、例えば２つの第一級アミン、例えばｎ−ブチルアミン及びｎ−プロピルアミンの混合物と塩化チオホスホリルとの反応及び引き続きアンモニアとの反応によってＮＢＴＰＴ及びＮＰＴＰＴの混合物が直接得られることができる。双方の生成物の生じる量比はその際に、双方のアミンの反応速度が匹敵しうる場合には、使用されるアミンの各々の量比に通例対応する。
【００１６】
本発明のさらなる対象は、一般式（Ｉ）による構造を有する少なくとも２つの異なる（チオ）リン酸トリアミドを含有する本発明による製剤を含む尿素含有肥料である。
【００１７】
尿素含有肥料は、とにかくまず尿素自体であると理解されるべきである。これは、市場で通常の肥料品質において少なくとも９０％の純度を有し、かつ例えば結晶形で、造粒されて、圧縮されて、小球にされて又は粉砕されて、存在していてよい。それに加えて、尿素と、１つ又はそれ以上の別の窒素肥料、例えば硫酸アンモニウム、硝酸アンモニウム、塩化アンモニウム、シアナミド、ジシアンジアミド又は硝酸カルシウムとの混合物並びに緩効性肥料、例えば尿素−ホルムアルデヒド縮合物、尿素−アセトアルデヒド縮合物又は尿素−グリオキサール縮合物も含まれているべきである。さらに、窒素に加えてさらに少なくとも１つの別の栄養素、例えばリン、カリウム、マグネシウム、カルシウム又は硫黄を含有する尿素含有の配合肥料(Mehrnaehrstoffduenger)も含まれている。それに加えて、微量元素であるホウ素、鉄、銅、亜鉛、マンガン又はモリブデンも含まれていてよい。そのような尿素含有の配合肥料は同様に、造粒されて、圧縮されて、小球にされて、粉砕されて又は結晶混合物として、存在していてよい。そのうえ、液体の尿素含有肥料も、例えば硝酸アンモニウム−尿素溶液又はまた水肥も含まれている。尿素含有肥料は、そのうえさらに１つ又はそれ以上の別の作用物質、例えば硝化阻害剤、除草剤、殺真菌剤、殺虫剤、成長調節剤、ホルモン、フェロモン又は他の植物保護剤又は土壌助剤を、０．０１〜２０質量％の量で含有していてよい。
【００１８】
本発明による肥料は、少なくとも２つの異なる（チオ）リン酸トリアミドを別個に又は少なくとも２つの異なる（チオ）リン酸トリアミドを含有している製剤を、液体の形又はまた固体の形で尿素含有肥料と混合するか又はこれらの尿素含有肥料中へ、相応する肥料混合物もしくは泥状物(Maische)又は溶融物に添加されることによって造粒して、圧縮して又は小球にして導入することによって得ることができる。それに加えて、少なくとも２つの異なる（チオ）リン酸トリアミド又は少なくとも２つの異なる（チオ）リン酸トリアミドを含有する製剤はしかしまた、既に完成した尿素含有肥料のグラニュール、圧縮物又は小球の表面上に、例えば噴霧、粉付け又は含浸によって施与されることもできる。これは、別の助剤、例えば接着促進剤(Haftungsvermittlern)又は被覆材料の使用下にも行われることができる。この施与の実施のために適した装置は、例えば円板(Teller)、トロンメル、ミキサー又は流動床装置であり、しかしまた施与は、コンベヤーベルトもしくはそれらの投下位置で又は固体の空気コンベヤーを用いて行われることもできる。
【００１９】
本発明による肥料中に含まれている（チオ）リン酸トリアミドの全量は、含まれている尿素をその都度基準として、通例、０．００１〜０．５質量％、好ましくは０．０１〜０．３質量％、特に好ましくは０．０２〜０．２質量％の範囲内である。
【００２０】
本発明のさらなる対象は、尿素含有肥料の施肥の際の、少なくとも２つの異なる（チオ）リン酸トリアミドを含有するこれらの製剤の使用である。この使用は、少なくとも２つの異なる（チオ）リン酸トリアミドを含有する前記の尿素含有肥料の使用によってだけでなく、相応する尿素含有肥料の適用の前又は後に農業的に又は園芸的に利用される平地上への本発明による製剤の別個の適用によっても行われることができる。そのうえ、本発明による製剤は、水肥用の添加剤として又は例えばにおい低下のための例えば動物ケージ(Tierstaellen)又は柵の処理のためにも使用されることができる。
【００２１】
本発明のさらなる対象は、農業又は園芸における、一般式（Ｉ）による構造を有する少なくとも２つの異なる（チオ）リン酸トリアミドを含有する製剤を含む尿素含有肥料の使用である。
【００２２】
以下の実施例は、本発明をさらに説明するものである。
【実施例】
【００２３】
個々に及び組合せでの（チオ）リン酸トリアミドの有効性を、Fenn & Kissel ((1973) Ammonia volatilization from surface applications of ammonium compounds on calcareous soils. Soil Sci. Soc. Am. J. 37, 855-859)の方法に従って、尿素又は尿素含有肥料からのアンモニア揮発損失の縮小へのそれらの影響について試験した。尿素の施肥後のアンモニア揮発損失が特に際立っている３つの異なる土壌を使用した。これらの土壌は、＞６．５の相対的に高いｐＨ値及び／又は低い塩基緩衝作用によって特徴付けられている。低い塩基緩衝作用によって、生じるアンモニアにより、水酸化アンモニウム形成との平衡で尿素粒状物の周囲で土壌溶液のｐＨ値が上昇し、このことはその側でＮＨ3  ＋  Ｈ2Ｏ  ←→  ＮＨ4+  ＋  ＯＨ-間の平衡を気体アンモニアの形成(Gunsten)にシフトさせる。インキュベーション容器あたり、乾燥土壌２００gを、完全脱塩水５．４mlで湿潤させ、尿素１．０８７g（尿素態Ｎ  ５００mgに相当）を粒状物として適用した。尿素含有溶液を試験する場合には、土壌２００gを、ウレアーゼ阻害剤もしくはこれらの組合せを有するか又は有しない、尿素１．６３０g（尿素態Ｎ  ７５０mgに相当）を含有する尿素含有水溶液で湿らせた。この溶液を、ピペットを用いて一滴ずつ土壌表面上に分配して適用した。異なる割合での個々の物質として又は組合せでの（チオ）リン酸トリアミドの量は、尿素を基準として、常に均一に０．１２５％（ｗ／ｗ）であった。インキュベーションを、２０℃（１８〜２２℃）で恒温恒湿室中で行った。酸トラップ中に捕集されたアンモニアを、Continuous Flow Analyzer（Bran + Luebbe社）を用いて当業者に公知の方法に従ってアンモニウムとして定量した。
【００２４】
土壌特性：
【表１】
0005502330.tif 000002
【００２５】
結果：
第１〜４表には、個々に及びＮＢＴＰＴとのその都度組合せで（チオ）リン酸トリアミドを添加しない及び添加した、粒状尿素の１０日間のインキュベーション後のＮＨ3損失が示されている。ＮＢＴＰＴの作用は、ＮＢＴＰＴの２０〜４０質量割合が、ＮｃＨＴＰＴ、ＮＰｅｎＴＰＴ、ＮｉＢＴＰＴ又はＮＰＴＰＴによって置き換えられる場合に明らかに改善されることが分かる。
【００２６】
第４、９及び１０表は、３つの異なる土壌への作用物質組合せＮＢＴＰＴ及びＮＰＴＰＴを用いる類似した調査についての結果を示している。本発明による組合せの改善された作用は、３つ全ての土壌について明らかになる。
【００２７】
第５〜８表は、尿素溶液を用いる類似の調査の結果を表している。ウレアーゼ阻害剤を用いないアンモニア損失の水準が、粒状尿素の場合よりも低く、かつ試験系列に応じて尿素として施肥された窒素量の１１〜２８％弱に相当するのに対して、粒状尿素の場合にそれらのアンモニア損失が約３９％であったことが分かる。このことはそれゆえ、尿素溶液が土壌中へ浸透しており、かつそこで負に帯電した土壌成分が、アンモニウムイオンをますます平衡ＮＨ3←→ＮＨ4+から取り除いたことが説明されうる。アンモニア損失の大きさを決定する別の因子は、空気移動である。また、これは土壌表面よりも土壌中でより少ない。
【００２８】
相互の（チオ）リン酸トリアミドの作用パターン及び溶液からもアンモニア損失を縮小する特別な有効性は、ＮＢＴＰＴ量の２０〜４０質量％がＮＰｅｎＴＰＴ、ＮｉＢＴＰＴ又はＮＰＴＰＴによって置き換えられる場合に、ここでも識別されることができた。
【００２９】
第１１及び１２表は、ＮＢＴＰＴ及びＮ，Ｎ−ジ−ｎ−ブチル−チオリン酸トリアミド（第１１表）もしくはＮＢＴＰＴ及びＮ，Ｎ−ジ−イソブチル−チオリン酸トリアミド（第１２表）の本発明によらない作用物質組合せ物を有する比較試験の結果を示している。これらの混合物の場合に作用改善は生じない。
【００３０】
第１表：
リンブルガーホフの土壌の場合の、ウレアーゼ阻害剤ＮＢＴＰＴ及びＮ−シクロヘキシルチオリン酸トリアミド（ＮｃＨＴＰＴ）及びそれらの組合せ物を添加しない及び添加した、粒状尿素の１０日間のインキュベーション後の窒素揮発損失
【表２】
0005502330.tif 000003
【００３１】
第２表：
リンブルガーホフの土壌の場合の、ウレアーゼ阻害剤ＮＢＴＰＴ及びＮ−ペンチルチオリン酸トリアミド（ＮＰｅｎＴＰＴ）及びそれらの組合せ物を添加しない及び添加した、粒状尿素の１０日間のインキュベーション後の窒素揮発損失
【表３】
0005502330.tif 000004
【００３２】
第３表：
リンブルガーホフの土壌の場合の、ウレアーゼ阻害剤ＮＢＴＰＴ及びＮ−イソブチルチオリン酸トリアミド（ＮｉＢＴＰＴ）及びそれらの組合せ物を添加しない及び添加した、粒状尿素の１０日間のインキュベーション後の窒素揮発損失
【表４】
0005502330.tif 000005
【００３３】
第４表：
リンブルガーホフの土壌の場合の、ウレアーゼ阻害剤ＮＢＴＰＴ及びＮ−プロピルチオリン酸トリアミド（ＮＰＴＰＴ）及びそれらの組合せ物を添加しない及び添加した、粒状尿素の１０日間のインキュベーション後の窒素揮発損失
【表５】
0005502330.tif 000006
【００３４】
第５表：
リンブルガーホフの土壌の場合の、ウレアーゼ阻害剤ＮＢＴＰＴ及びＮｃＨＴＰＴ及びそれらの組合せ物を添加しない及び添加した、３０％尿素溶液の１０日間のインキュベーション後の窒素揮発損失
【表６】
0005502330.tif 000007
【００３５】
第６表：
リンブルガーホフの土壌の場合の、ウレアーゼ阻害剤ＮＢＴＰＴ及びＮＰｅｎＴＰＴ及びそれらの組合せ物を添加しない及び添加した、３０％尿素溶液の１０日間のインキュベーション後の窒素揮発損失
【表７】
0005502330.tif 000008
【００３６】
第７表：
リンブルガーホフの土壌の場合の、ウレアーゼ阻害剤ＮＢＴＰＴ及びＮｉＢＴＰＴ及びそれらの組合せ物を添加しない及び添加した、３０％尿素溶液の１０日間のインキュベーション後の窒素揮発損失
【表８】
0005502330.tif 000009
【００３７】
第８表：
リンブルガーホフの土壌の場合の、ウレアーゼ阻害剤ＮＢＴＰＴ及びＮＰＴＰＴ及びそれらの組合せ物を添加しない及び添加した、３０％尿素溶液の１０日間のインキュベーション後の窒素揮発損失
【表９】
0005502330.tif 000010
【００３８】
第９表：
ハノーファーの土壌の場合の、ウレアーゼ阻害剤ＮＢＴＰＴ及びＮＰＴＰＴ及びそれらの組合せ物を添加しない及び添加した、粒状尿素の１０日間のインキュベーション後の窒素揮発損失
【表１０】
0005502330.tif 000011
【００３９】
第１０表：
フランスの土壌の場合の、ウレアーゼ阻害剤ＮＢＴＰＴ及びＮＰＴＰＴ及びそれらの組合せ物を添加しない及び添加した、粒状尿素の１０日間のインキュベーション後の窒素揮発損失
【表１１】
0005502330.tif 000012
【００４０】
第１１表：
リンブルガーホフの土壌の場合の、ウレアーゼ阻害剤ＮＢＴＰＴ及びＮ，Ｎ−ジ−ｎ−ブチル−チオリン酸トリアミド（ＮＮＤＢＴＰＴ）及びそれらの組合せ物を添加しない及び添加した、３０％尿素溶液の１０日間のインキュベーション後の窒素揮発損失
【表１２】
0005502330.tif 000013
【００４１】
第１２表：
リンブルガーホフの土壌の場合の、ウレアーゼ阻害剤ＮＢＴＰＴ及びＮ，Ｎ−ジ−イソブチル−チオリン酸トリアミド（ＮＮＤｉＢＴＰＴ）及びそれらの組合せ物を添加しない及び添加した、３０％尿素溶液の１０日間のインキュベーション後の窒素揮発損失
【表１３】
0005502330.tif 000014